(57)【要約】【課題】枠部材の寸法を増大することなく、外観品質及び十分な強度を確保した上で動力による開閉を行うこと。【解決手段】ベース部材４１に対して駒部材４８を往復移動させるアクチュエータユニット４０と、第１リンク部材６２の基端部を駒部材４８に支承させる一方、第２リンク部材６３の基端部をベース部材４１に対してスライド自在、かつ回動する態様で支承させ、第１リンク部材６２から突設した連係ピン７０を介してガラス窓２０に連係するリンクユニット６０と、リンクユニット６０の係合ピン６１に係合する案内溝８１を有した案内部材８０とを備え、アクチュエータユニット４０の駆動によって駒部材４８を往復移動させた場合に案内部材８０の案内溝８１に沿って係合ピン６１を案内させ、一対のリンク部材６２，６３を伸長姿勢と屈曲姿勢とに変化させることにより、開口枠１０に対してガラス窓２０を開閉させる。【選択図】図３
2010101142.tif 000002
【特許請求の範囲】
【請求項１】
障子の一側縁を構成する框部材を開口枠の見込方向に移動させて前記障子を前記開口枠に対して開閉させる建具において、
ベース部材を介して前記開口枠を構成する枠部材の内部に収容し、駆動した場合に前記ベース部材に対して出力部材を前記枠部材の長手方向に沿って往復移動させるアクチュエータユニットと、
互いの先端部を所定の支承軸を中心として回動自在となるように支承することにより互いに直線状に伸長する伸長姿勢と互いに屈曲状となる屈曲姿勢とに変位する一対のリンク部材を具備するとともに、前記一対のリンク部材のいずれか一方から前記支承軸に沿って突設した係合ピンを備え、一方のリンク部材の基端部を前記支承軸と平行な軸心を中心として回動自在となるように前記アクチュエータユニットの出力部材に支承し、他方のリンク部材の基端部を前記ベース部材に対して前記枠部材の長手方向に沿ってスライド自在、かつ前記支承軸と平行な軸心を中心として回動自在となるように支承し、前記リンク部材のいずれか一方から前記支承軸と平行となるように突設した連係ピンを介して前記障子の框部材に連係するリンクユニットと、
前記アクチュエータユニットの前記出力部材が往復移動した場合に前記リンクユニットの係合ピンに係合し、前記一対のリンク部材を前記伸長姿勢と前記屈曲姿勢とに変化させることによって前記障子を前記開口枠に対して開閉させる案内溝を有した案内部材と
を備えたことを特徴とする建具。
【請求項２】
前記アクチュエータユニットは、
出力軸の軸心が前記枠部材の長手方向に沿うように前記ベース部材に配設した回転駆動源と、
周面に螺旋溝を有し、自身の軸心が前記枠部材の長手方向に沿うように前記ベース部材に回転自在に配設したネジ軸部材と、
前記ネジ軸部材に螺合し、前記出力部材として機能する駒部材と
を備え、前記駒部材は、前記回転駆動源の駆動による前記ネジ軸部材の回転により、前記ネジ軸部材の軸心方向に沿って往復移動自在に設けたことを特徴とする請求項１に記載の建具。
【請求項３】
前記案内部材の案内溝は、
前記一対のリンク部材が伸長姿勢にある状態において前記係合ピンを前記枠部材の長手方向に沿って案内する第１案内部と、
前記第１案内部の一方の端部からその延長域に向かうに従って漸次開口枠の面外方向に向けて傾斜する第２案内部と
を備えたことを特徴とする請求項１に記載の建具。
【請求項４】
前記他方のリンク部材の基端部と前記ベース部材との間には、前記係合ピンが前記案内部材の第１案内部に沿って移動する際に前記他方のリンク部材の回動を規制する回動規制手段を設けたことを特徴とする請求項３に記載の建具。
【発明の詳細な説明】
【技術分野】
【０００１】
本発明は、横すべり出し窓や縦すべり出し窓あるいは内倒し窓や外倒し窓等、障子の一側縁を構成する框部材を開口枠の見込方向に移動させる態様で前記障子を前記開口枠に対して開閉自在に支持させた建具に関するものである。
【背景技術】
【０００２】
開口枠に対してガラス窓等の障子を開閉自在に支持させた建具には、障子の開閉をアクチュエータユニットによって行うようにしたものが既に提供されている。例えば、特許文献１では、開口枠とガラス窓との間にリンクユニットを構成するとともに、このリンクユニットに回転駆動源を接続し、回転駆動源が駆動した場合にリンクユニットを動作させることにより、内倒し窓であるガラス窓を開閉するようにしている。
【０００３】
【特許文献１】特開平４−３２７６７５号公報
【発明の開示】
【発明が解決しようとする課題】
【０００４】
ところで、この種の建具には、外観品質が高いことはもちろん、防犯性についても高いことが好ましいのはいうまでもない。上述した特許文献１の建具では、回転駆動源が開口枠を構成する枠部材の内部に収容され、かつリンク部材についても枠部材の見込み方向寸法内に収容されているため、いずれも外部から容易に視認できる構成になく、外観品質が損なわれることはない。
【０００５】
しかしながら、防犯性を考慮した場合には、必ずしも好ましいものとはいえない。すなわち、特許文献１の建具では、リンクユニットを構成する複数のリンク部材に案内溝が形成されており、それぞれの案内溝にピンを挿通させる態様でリンク部材を連係させることによってリンクユニットが所望の動作を行うようにしている。こうした建具においては、同一の寸法に構成したリンク部材を比較した場合、案内溝の存在によって強度が劣るのは否めない。従って、防犯性を向上させるべくリンク部材に所望の強度を確保するためには、案内溝からの肉厚を十分に大きく設定する必要がある。この結果、リンクユニットを収容する枠部材の見込み方向寸法も増大せざるを得ず、その設置箇所に著しい制限が加えられることになる等の問題を招来する恐れがある。
【０００６】
本発明は、上記実情に鑑みて、枠部材の寸法を増大することなく、外観品質及び十分な強度を確保した上で動力源を用いて開閉を行うことのできる建具を提供することを目的とする。
【課題を解決するための手段】
【０００７】
上記目的を達成するため、本発明に係る建具は、障子の一側縁を構成する框部材を開口枠の見込方向に移動させて前記障子を前記開口枠に対して開閉させる建具において、ベース部材を介して前記開口枠を構成する枠部材の内部に収容し、駆動した場合に前記ベース部材に対して出力部材を前記枠部材の長手方向に沿って往復移動させるアクチュエータユニットと、互いの先端部を所定の支承軸を中心として回動自在となるように支承することにより互いに直線状に伸長する伸長姿勢と互いに屈曲状となる屈曲姿勢とに変位する一対のリンク部材を具備するとともに、前記一対のリンク部材のいずれか一方から前記支承軸に沿って突設した係合ピンを備え、一方のリンク部材の基端部を前記支承軸と平行な軸心を中心として回動自在となるように前記アクチュエータユニットの出力部材に支承し、他方のリンク部材の基端部を前記ベース部材に対して前記枠部材の長手方向に沿ってスライド自在、かつ前記支承軸と平行な軸心を中心として回動自在となるように支承し、前記リンク部材のいずれか一方から前記支承軸と平行となるように突設した連係ピンを介して前記障子の框部材に連係するリンクユニットと、前記アクチュエータユニットの前記出力部材が往復移動した場合に前記リンクユニットの係合ピンに係合し、前記一対のリンク部材を前記伸長姿勢と前記屈曲姿勢とに変化させることによって前記障子を前記開口枠に対して開閉させる案内溝を有した案内部材とを備えたことを特徴とする。
【０００８】
また、本発明に係る建具は、上述した建具において、前記アクチュエータユニットは、出力軸の軸心が前記枠部材の長手方向に沿うように前記ベース部材に配設した回転駆動源と、周面に螺旋溝を有し、自身の軸心が前記枠部材の長手方向に沿うように前記ベース部材に回転自在に配設したネジ軸部材と、前記ネジ軸部材に螺合し、前記出力部材として機能する駒部材とを備え、前記駒部材は、前記回転駆動源の駆動による前記ネジ軸部材の回転により、前記ネジ軸部材の軸心方向に沿って往復移動自在に設けたことを特徴とする。
【０００９】
また、本発明に係る建具は、上述した建具において、前記案内部材の案内溝は、前記一対のリンク部材が伸長姿勢にある状態において前記係合ピンを前記枠部材の長手方向に沿って案内する第１案内部と、前記第１案内部の一方の端部からその延長域に向かうに従って漸次開口枠の面外方向に向けて傾斜する第２案内部とを備えたことを特徴とする。
【００１０】
また、本発明に係る建具は、上述した建具において、前記他方のリンク部材の基端部と前記ベース部材との間には、前記係合ピンが前記案内部材の第１案内部に沿って移動する際に前記他方のリンク部材の回動を規制する回動規制手段を設けたことを特徴とする。
【発明の効果】
【００１１】
本発明によれば、リンクユニットのリンク部材から突設した係合ピンをベース部材に配設した案内部材の案内溝に沿って案内し、これにより一対のリンク部材を伸長姿勢と屈曲姿勢とに変化させるようにしているため、障子を開閉するリンクユニットのリンク部材に直接案内溝を形成する必要がない。従って、リンク部材に所望の強度を確保した場合にもその寸法を可及的に小さく構成することができ、これを枠部材に収容して外観品質を確保しても枠部材の寸法が増大する事態を招来する恐れがない。
【発明を実施するための最良の形態】
【００１２】
以下に添付図面を参照して、本発明に係る建具の好適な実施の形態について詳細に説明する。
【００１３】
図１は、本発明の実施の形態である建具を示したものである。ここで例示する建具は、開口枠１０に対してガラス窓（障子）２０を開閉自在に支持させたもので、特に、「横すべり出し窓」と称される建具を示している。横すべり出し窓は、上枠部材１１、下枠部材１２及び一対の縦枠部材１３によって矩形の枠状に構成した開口枠１０と、上框部材２１、下框部材２２及び一対の縦框部材２３によって構成される矩形状の框の内部にガラス板２４を保持したガラス窓２０とを備え、上框部材２１が上下にスライドし、かつ上框部材２１を軸として下框部材２２を室外側に向けて開口枠１０の面外方向に押し出すように開放するものである。
【００１４】
この横すべり出し窓には、ガラス窓２０の下框部材２２に連係プレート２５が設けてある。連係プレート２５は、下框部材２２において室内側に位置する内表面の上端部から室内側に向けて突設した矩形の板状部材である。この連係プレート２５には、スライド溝２５ａが設けてある。スライド溝２５ａは、両端が閉塞した狭幅の直線状を成す長孔であり、下框部材２２の長手方向に沿って形成してある。
【００１５】
一方、ガラス窓２０を支持する開口枠１０の下枠部材１２には、図２に示すように、下框部材２２の室内側面に対向する部位に室外側に開口した横断面が略コ字状の収容室３０が設けてある。収容室３０は、下枠部材１２の上壁部１２ａ、側壁部１２ｂ及び下壁部１２ｃによって囲まれた直方状の空間であり、室外側に面した部分が開口している。開口枠１０に対してガラス窓２０を閉塞した場合、上述したガラス窓２０の連係プレート２５は、開口を介して下枠部材１２の収容室３０に収容されることになる。
【００１６】
この収容室３０には、アクチュエータユニット４０が収容してある。アクチュエータユニット４０は、開口枠１０に対してガラス窓２０を開閉する際の動力を出力するもので、図３及び図４に示すように、ベース部材４１を備えている。
【００１７】
ベース部材４１は、アクチュエータユニット４０の本体となるもので、図２〜図４に示すように、本体壁部４１ａ及び縦壁部４１ｂを有している。本体壁部４１ａは、下枠部材１２の収容室３０に収容することのできる大きさに形成した狭幅で全長の大きな平板状部材であり、下枠部材１２の収容室３０においてその長手方向に沿う態様で下枠部材１２における下壁部１２ｃの上面に取り付けてある。縦壁部４１ｂは、本体壁部４１ａの上面から上方に向けて突設した平板状部分であり、収容室３０において下枠部材１２の側壁部１２ｂに近接した部分に設けてある。
【００１８】
このベース部材４１には、縦壁部４１ｂよりも収容室３０の手前側に位置する部位の上面に電動モータ４２、リンク支承部材４３及びレール部材４４が設けてある。電動モータ４２は、駆動した場合にハウジング４２ａに対して出力軸４２ｂが自身の軸心回りに回転する回転駆動源である。この電動モータ４２は、出力軸４２ｂの軸心が下枠部材１２の長手方向に沿い、かつ出力軸４２ｂの先端がベース部材４１の一端部側に向いた状態でハウジング４２ａを介してベース部材４１の一端部に保持させてある。
【００１９】
リンク支承部材４３は、図３〜図５に示すように、台状部材４５を介してベース部材４１の他端部側上面に設けた平板状部材である。このリンク支承部材４３には、リンク支承溝４３ａが形成してあるとともに、リンク支承溝４３ａにリンク支承軸４６が配設してある。
【００２０】
リンク支承溝４３ａは、回転支承部４３ａ１とスライド支承部４３ａ２とを有して構成したものである。回転支承部４３ａ１は、上下方向に沿って貫設した円形の穴であり、リンク支承部材４３において電動モータ４２から離隔した側の端部に形成してある。スライド支承部４３ａ２は、回転支承部４３ａ１の内径よりも小さい一定の幅を有した溝状の開口であり、電動モータ４２における出力軸４２ｂの軸心延長上となる部位に回転支承部４３ａ１から電動モータ４２に近接する方向に向けて形成してある。尚、スライド支承部４３ａ２において電動モータ４２に近接した側の端部に形成した円形の穴は、組み付けの際にネジを挿通させるためのものである。
【００２１】
リンク支承軸４６は、リンク支承溝４３ａの回転支承部４３ａ１よりも太径に形成した軸頭部４６ａの上方に係合軸部４６ｂ及びリンク取付軸部４６ｃを有している。係合軸部４６ｂは、リンク支承溝４３ａのスライド支承部４３ａ２に対してスライド自在、かつ軸心回りの回転を規制する二面幅を有するとともに、回転支承部４３ａ１に対しては回転自在に嵌合される外径に形成した部分であり、互いの軸心を合致させた状態で軸頭部４６ａの上面に設けてある。リンク取付軸部４６ｃは、係合軸部４６ｂよりも細径の円柱状を成す部分であり、互いの軸心を合致させた状態で係合軸部４６ｂの上面に設けてある。
【００２２】
レール部材４４は、ベース部材４１の長手方向に沿う態様でベース部材４１の上面に設けた直線状の突条であり、電動モータ４２と台状部材４５との間に設けてある。
【００２３】
また、アクチュエータユニット４０は、電動モータ４２と台状部材４５との間にネジ軸部材４７及び駒部材（出力部材）４８を備えている。ネジ軸部材４７は、図３及び図４に示すように、周面に螺旋溝を有した細径の円柱状部材である。このネジ軸部材４７は、自身の軸心が電動モータ４２の出力軸４２ｂに合致する態様で、その両端部に設けた軸受部材４９を介してベース部材４１の上面に保持してあり、ベース部材４１に対して自身の軸心回りに回転することが可能である。このネジ軸部材４７には、連結部材５０を介して電動モータ４２の出力軸４２ｂが連結してある。
【００２４】
駒部材４８は、図３に示すように、ネジ穴４８ａを介してネジ軸部材４７に螺合したブロック状部材である。この駒部材４８は、ベース部材４１の上面に設けたレール部材４４に係合することによってネジ軸部材４７に対する回転が規制されており、ネジ軸部材４７が自身の軸心回りに回転した場合にネジの作用によりネジ軸部材４７の軸心に沿って往復移動することが可能である。
【００２５】
この駒部材４８には、支承ブラケット５１が取り付けてある。支承ブラケット５１は、駒部材４８の端部からその上方域を覆う態様で設けた板状部材であり、駒部材４８の上方となる部位に回動支承軸５２を備えている。回動支承軸５２は、ネジ軸部材４７の軸心に直交する態様で支承ブラケット５１から上方向に向けて突設したものである。
【００２６】
上述したアクチュエータユニット４０とガラス窓２０との間には、リンクユニット６０が設けてある。リンクユニット６０は、図１、図３及び図４に示すように、係合ピン（支承軸）６１を介して互いの先端部を回動自在に接続した一対のリンク部材６２，６３を備えたもので、係合ピン６１を中心として回動することにより、互いに直線状に伸長した伸長姿勢と互いに屈曲状となる屈曲姿勢とに変位することが可能である。図からも明らかなように、一対のリンク部材６２，６３を接続する係合ピン６１は、回動支承軸５２と平行となる態様でリンクユニット６０から上方に向けて突出している。
【００２７】
このリンクユニット６０は、上方側に配置される一方のリンク部材（以下、「第１リンク部材６２」という）の他端部が支承ブラケット５１の回動支承軸５２に接続してあり、支承ブラケット５１に対して第１リンク部材６２を回動支承軸５２の軸心回りに回動することが可能である。一方、第１リンク部材６２よりも下方側となる部位に配置される他方のリンク部材（以下、「第２リンク部材６３」という）は、その他端部がリンク支承軸４６のリンク取付軸部４６ｃに接続してあり、図６において上方に示すように、リンク支承軸４６がスライド支承部４３ａ２にある場合、回動が規制された状態でリンク支承溝４３ａのスライド支承部４３ａ２に沿ってスライド移動することが可能である。さらに、第２リンク部材６３は、図６において下方に示すように、リンク支承軸４６が回転支承部４３ａ１に配置された場合、リンク支承軸４６とともにリンク支承部材４３に対してリンク支承軸４６の軸心回りに回動することが可能である。
【００２８】
また、リンクユニット６０には、第１リンク部材６２において第２リンク部材６３との接続部よりもさらに先端側となる部位に連係ピン７０が設けてある。連係ピン７０は、係合ピン６１と平行となる態様で第１リンク部材６２の上面から上方に向けて突設した円柱状部材である。この連係ピン７０は、係合ピン６１よりも突出高さが大きく、かつ下枠部材１２の収容室３０に収容することのできる長さに構成したもので、その突出端部がガラス窓２０に設けた連係プレート２５のスライド溝２５ａにスライド自在に貫通させてある。
【００２９】
上記のように構成したリンクユニット６０は、図３及び図４に示すように、駒部材４８がネジ軸部材４７において最も電動モータ４２に近接した位置に配置された場合、第１リンク部材６２と第２リンク部材６３とが互いに直線状となり、第２リンク部材６３の他端部に接続したリンク支承軸４６がリンク支承溝４３ａのスライド支承部４３ａ２に配置され、さらに回動支承軸５２、係合ピン６１及びリンク支承軸４６も一直線上に配置されることになる。この状態から駒部材４８がネジ軸部材４７に沿って電動モータ４２から離隔する方向に移動すると、第２リンク部材６３の他端部に接続したリンク支承軸４６がリンク支承溝４３ａの回転支承部４３ａ１に至る結果、第２リンク部材６３の回動が許容されることになり、図１の右方側に示すように、第１リンク部材６２と第２リンク部材６３とが室外側に向けて開口枠１０の面外方向に互いに屈曲することが可能となる。
【００３０】
さらに、上記横すべり出し窓には、図２〜図４に示すように、アクチュエータユニット４０のベース部材４１に案内部材８０が設けてある。案内部材８０は、ベース部材４１の縦壁部４１ｂから室外側に向けて本体壁部４１ａにほぼ平行となるように突設した板状部材であり、リンクユニット６０のリンク部材６２，６３が互いに直線状にある場合にその上方域を覆うように設けてある。この案内部材８０には、案内溝８１が形成してある。案内溝８１は、リンクユニット６０の係合ピン６１に係合してこれを案内するためのもので、第１案内部８１ａ及び第２案内部８１ｂを有している。第１案内部８１ａは、ネジ軸部材４７の軸心方向に沿って形成した直線状部分である。第２案内部８１ｂは、第１案内部８１ａにおいて電動モータ４２から離隔した端部からその延長域に向かうに従って漸次室外側に向けて傾斜する直線状部分であり、案内部材８０において室外側に位置する縁部に開口している。
【００３１】
図７の（ａ）〜（ｄ）は、上述した横すべり出し窓のアクチュエータユニット４０及びリンクユニット６０の動作を示したものである。以下、これらの図を適宜参照しながら、開口枠１０に対するガラス窓２０の開閉動作について説明し、併せて本願発明の特徴部分について詳述する。
【００３２】
まず、この横すべり出し窓では、図７の（ａ）に示すように、駒部材４８がネジ軸部材４７において最も電動モータ４２に近接した位置に配置されて第１リンク部材６２と第２リンク部材６３とが互いに直線状となると、第１リンク部材６２に設けた連係ピン７０が開口枠１０の下枠部材１２において最も室内側に配置されることになる。これにより、連係ピン７０に係合する連係プレート２５も最も室内側に配置されることになり、ガラス窓２０が開口枠１０に対して閉塞された状態に維持される。
【００３３】
この状態においては、係合ピン６１が案内部材８０の第１案内部８１ａに配置されるため、さらにはリンク支承軸４６もスライド支承部４３ａ２にあり、第２リンク部材６３の回動が規制された状態にあるため、このままの状態から開口枠１０に対してガラス窓２０を室外方向に移動させることが困難となる。従って、開口枠１０とガラス窓２０との間に、別途両者を施錠するための専用の錠装置等を設けることなく施錠した状態に維持することができるようになる。しかも、回動支承軸５２、係合ピン６１及びリンク支承軸４６がネジ軸部材４７の軸心を含む一平面上に配置されるため、リンクユニット６０の見込方向に沿った寸法を小さくできる。
【００３４】
一方、上述した状態からガラス窓２０を開放すべく電動モータ４２を駆動し、ネジ軸部材４７を自身の軸心回りに回転させると、これに螺合する駒部材４８が漸次電動モータ４２から離隔する方向に移動することになる。ここで、図７の（ａ）に示すように、回動支承軸５２、係合ピン６１及びリンク支承軸４６がネジ軸部材４７の軸心を含む一平面上に配置された場合には、駒部材４８をネジ軸部材４７の軸心方向に沿って移動させた場合にも、リンクユニット６０のリンク部材６２，６３を互いに屈曲させることは困難である。
【００３５】
しかしながら、上記横すべり出し窓においては、第２リンク部材６３の他端部がリンク支承溝４３ａのスライド支承部４３ａ２に沿ってスライド自在であるため、リンクユニット６０全体がネジ軸部材４７の軸心方向に沿ってスライドすることになる。リンクユニット６０がネジ軸部材４７の軸心方向に沿ってスライドすると、リンクユニット６０に設けた係合ピン６１が第１案内部８１ａからやがて第２案内部８１ｂに至ることになり、図７の（ｂ）に示すように、駒部材４８がネジ軸部材４７の軸心方向に移動すると、それ以降は係合ピン６１が開口枠１０の面外方向に案内されるようになる。この場合、係合ピン６１が第２案内部８１ｂに沿って移動するため、第２リンク部材６３がリンク支承軸４６の軸心回りに回動することになる。しかしながら、リンク支承軸４６の二面幅がリンク支承溝４３ａのスライド支承部４３ａ２と係合することによって第２リンク部材６３の回動も制限されたものとなり、係合ピン６１が不用意に案内溝８１から逸脱することはない。
【００３６】
上述の状態からさらにリンクユニット６０全体がネジ軸部材４７の軸心方向に沿ってスライドし、図７の（ｃ）に示すように、第２リンク部材６３の他端部に接続したリンク支承軸４６がリンク支承溝４３ａの回転支承部４３ａ１に至ると、第２リンク部材６３の回動が許容されることになり、これと同時に係合ピン６１が第２案内部８１ｂの開口端に到達する。この結果、以降、電動モータ４２の駆動によって駒部材４８が電動モータ４２から離隔する方向に移動すると、図７の（ｄ）に示すように、第１リンク部材６２の他端部と第２リンク部材６３の他端部とが近接し、これら第１リンク部材６２及び第２リンク部材６３が開口枠１０の面外方向に向けて回動するため、第１リンク部材６２の連係ピン７０を介して連係したガラス窓２０が開口枠１０に対して開放されることになる。
【００３７】
一方、上述した状態から電動モータ４２を先とは逆方向に回転させると、駒部材４８がネジ軸部材４７の軸心方向に沿って電動モータ４２に近接する方向に移動することになる。従って、第１リンク部材６２の他端部と第２リンク部材６３の他端部とが離隔し、それぞれの先端部が室内側に向けて回動するようになる。この間、第２リンク部材６３は、その他端部のリンク支承軸４６がリンク支承溝４３ａの回転支承部４３ａ１に配置されたままとなるため、図７の（ｃ）に示すように、係合ピン６１が確実に第２案内部８１ｂの開口端に復帰し、以降、図７の（ｂ）に示す状態を経て再び図７の（ａ）に示す状態となる。これにより、連係ピン７０を介して連係したガラス窓２０が開口枠１０に対して閉塞されることとなる。
【００３８】
上述したガラス窓２０の閉塞動作の際、この横すべり出し窓によれば、係合ピン６１が第２案内部８１ｂによって漸次開口枠１０に近接された後、第１案内部８１ａに引き込まれることになる。従って、開口枠１０の枠部材１１，１２，１３とガラス窓２０の框部材２１，２２，２３との間にウェザータイト（図示せず）が設けられている場合、これを確実に押し潰して気密性を確保することが可能となる。
【００３９】
以降、電動モータ４２を駆動すれば、都度上述した動作が行われ、開口枠１０に対してガラス窓２０を開閉させることができるようになる。
【００４０】
電動モータ４２によってガラス窓２０を開閉させている間上記実施の形態によれば、リンクユニット６０を構成するリンク部材６２，６３のいずれにも案内溝等の長孔を設ける必要が無く、ベース部材４１に設けた案内部材８０の案内溝８１を介して開口枠１０に対するガラス窓２０の開閉移動を実現するようにしている。従って、リンク部材６２，６３に関しては、その寸法を大きくすることなく所望の強度を確保することが可能であり、これをアクチュエータユニット４０とともに下枠部材１２に収容して外観品質を確保したとしても、下枠部材１２の寸法を著しく増大させる必要はない。これにより、設置場所が制限される事態を招来する恐れもなく、アクチュエータユニット４０の駆動で開閉することのできる横すべり出し窓を任意の場所で具現化できるようになる。
【００４１】
尚、上述した実施の形態では、上框部材２１を軸として下框部材２２を室外側に向けて開口する、横すべり出し窓を例示しているが、必ずしも横すべり出し窓に限定されず、障子の一側縁を構成する框部材を開口枠の面外方向に移動させる態様で障子を開口枠に対して開閉自在に支持させた建具であれば、縦すべり出し窓あるいは内倒し窓や外倒し窓等、その他の建具にも適用することが可能である。この場合、アクチュエータユニットやリンクユニットを収容させる枠部材は必ずしも下枠部材とはならず、開閉移動に伴って枠部材の面外方向に移動する框部材に対応した枠部材であれば良い。例えば、上述した横すべり出し窓においても縦枠部材にアクチュエータユニットやリンクユニットを設けるようにすることも可能である。
【００４２】
また、上述した実施の形態では、アクチュエータユニット４０として回転駆動源である電動モータ４２を適用したものを例示したが、必ずしも回転駆動源である必要はなく、シリンダアクチュエータ等のような直動駆動源を適用することも可能である。
【００４３】
さらに、上述した実施の形態では、ベース部材４１にアクチュエータユニット４０を構成するようにしているため、枠部材に取り付ける場合の作業を容易に行うことが可能であるが、必ずしもベース部材に構成する必要はなく、直接枠部材に構成するようにしても構わない。
【００４４】
また、上述した実施の形態では、一対のリンク部材を互いに支承した支承軸と、案内部材の案内溝に係合する係合ピンとを同一の軸心上に設けるようにしているが、必ずしも支承軸と係合ピンとが同一の軸心上にある必要はない。
【図面の簡単な説明】
【００４５】
【図１】本発明の実施の形態である建具を示したもので、開口枠に対して障子を閉じた状態と開口枠に対して障子を開いた状態とを個別に示す斜視図である。
【図２】図１に示した建具の要部を拡大して示す断面図である。
【図３】図１に示した建具に適用するアクチュエータユニット及びリンクユニットの外観を示す要部斜視図である。
【図４】図３に示したアクチュエータユニット及びリンクユニットの断面図である。
【図５】図１に示した建具に適用するリンクユニットの要部を示す分解斜視図である。
【図６】図１に示した建具に適用するリンクユニットの動作を示す要部概念図である。
【図７】図１に示した建具に適用するアクチュエータユニット及びリンクユニットの動作を示す要部平面図である。
【符号の説明】
【００４６】
１０      開口枠
１１，１２，１３      枠部材
２０      ガラス窓
２１，２２，２３      框部材
２５      連係プレート
２５ａ      スライド溝
３０      収容室
４０      アクチュエータユニット
４１      ベース部材
４２      電動モータ
４３      リンク支承部材
４３ａ      リンク支承溝
４３ａ１      回転支承部
４３ａ２      スライド支承部
４６      リンク支承軸
４６ａ      軸頭部
４６ｂ      係合軸部
４６ｃ      リンク取付軸部
４７      ネジ軸部材
４８      駒部材
５２      回動支承軸
６０      リンクユニット
６１      係合ピン
６２，６３      リンク部材
７０      連係ピン
８０      案内部材
８１      案内溝
８１ａ      第１案内部
８１ｂ      第２案内部
【図１】
2010101142.tif 000003
【図２】
2010101142.tif 000004
【図３】
2010101142.tif 000005
【図４】
2010101142.tif 000006
【図５】
2010101142.tif 000007
【図６】
2010101142.tif 000008
【図７】
2010101142.tif 000009